(57)【要約】      （修正有）【課題】作業効率を高めることができ、設備費を低減することができる支柱用基礎管埋設装置を提供する。【解決手段】掘削スクリュー１２が、基礎用鋼管１１の内部に挿入可能に設けられている。長さ調整ロッド１３が、掘削スクリュー１２の後端に１または複数接続されている。接続ロッド１４が、掘削スクリュー１２の後端に接続されている。オーガが、掘削スクリュー１２を回転させて地面を掘削可能に、接続ロッド１４の後端に取り付けられている。固定部材１６が、掘削スクリュー１２を基礎用鋼管１１の内部に挿入し、掘削スクリュー１２の先端を基礎用鋼管１１の先端から突出させた状態で、基礎用鋼管１１を掘削スクリュー１２とともに回転させるよう、基礎用鋼管１１をその後端側で接続ロッド１４に着脱可能に固定する。【選択図】図１
0003185621.tif 000002
【実用新案登録請求の範囲】
【請求項１】
基礎用鋼管と、
前記基礎用鋼管の内部に挿入可能に設けられた掘削スクリューと、
前記掘削スクリューの後端側に接続された接続ロッドと、
前記掘削スクリューを回転させて地面を掘削可能に、前記接続ロッドの後端側に取り付けられたオーガと、
前記掘削スクリューを前記基礎用鋼管の内部に挿入し、前記掘削スクリューの先端を前記基礎用鋼管の先端から突出させた状態で、前記基礎用鋼管を前記掘削スクリューとともに回転させるよう、前記基礎用鋼管をその後端側で前記接続ロッドに着脱可能に固定する固定部材とを、
有することを特徴とする支柱用基礎管埋設装置。
【請求項２】
前記接続ロッドは側面に、長さ方向に沿って互いに間隔を開けて設けられた複数の固定用穴を有し、
前記固定部材は前記基礎用鋼管の後端部に着脱可能に固定されており、各固定用穴に挿入可能に設けられた挿入具を有し、前記挿入具をいずれかの固定用穴に挿入することにより前記基礎用鋼管を前記接続ロッドに固定可能であることを
特徴とする請求項１記載の支柱用基礎管埋設装置。
【請求項３】
前記掘削スクリューと前記接続ロッドとを連結するよう、前記掘削スクリューと前記接続ロッドとの間に設けられた１または複数の長さ調整ロッドを有することを特徴とする請求項１または２記載の支柱用基礎管埋設装置。
【考案の詳細な説明】
【技術分野】
【０００１】
本考案は、照明灯などの支柱を立てるための基礎管を埋設するのに使用される支柱用基礎管埋設装置に関する。
【背景技術】
【０００２】
従来、照明灯の支柱を立てるための基礎管を埋設するものとして、埋設用丸型鋼管と、その埋設用丸型鋼管の上端に固定可能に設けられ、上端部の外側面に突条を有する短い鋼管と、短い鋼管の突条を覆うよう下方開口の碗状体が側面に接続しており、碗状体の内側面に凹溝を有して短い鋼管の突条と嵌合するよう構成されたオーガーロッドと、先端部を尖鋭にし、埋設用丸型鋼管から所定長さ突出していて先端付近に掻き取り片を有するスクリュウー軸と、所定位置でオーガーロッドを回転可能に設けられた建柱車とを有する照明灯用支柱の建柱用具がある（例えば、特許文献１参照）。
【０００３】
この建柱用具は、オーガーロッドが、下端に碗状体が取り付けられた筒状管と、筒状管の内部に挿入されたロッド本体とを有し、筒状管およびロッド本体の後端部に建柱車のオーガを取り付けて、筒状管およびロッド本体を回転するようになっている。この建柱用具は、建柱車のオーガで筒状管およびロッド本体を回転させることにより、スクリュウー軸および埋設用丸型鋼管を回転させ、スクリュウー軸で地面を掘削しながら、その掘削孔に埋設用丸型鋼管を埋め込むようになっている。
【先行技術文献】
【特許文献】
【０００４】
【特許文献１】実用新案登録第３０９８６２８号公報
【考案の概要】
【考案が解決しようとする課題】
【０００５】
しかしながら、特許文献１に記載の建柱用具は、ロッド本体だけでなく、筒状管もオーガに接続する必要があるため、使用するスクリュウー軸および埋設用丸型鋼管の長さに応じて、筒状管の長さを調節する必要があった。このため、埋め込む地盤の状態等に応じてスクリュウー軸や埋設用丸型鋼管を取り換えるたびに、筒状管の長さの調節に手間と時間がかかり、作業効率が悪いという課題があった。また、筒状管の長さを調節するための部材も必要となり、設備費が嵩むという課題もあった。
【０００６】
本考案は、このような課題に着目してなされたもので、作業効率を高めることができ、設備費を低減することができる支柱用基礎管埋設装置を提供することを目的とする。
【課題を解決するための手段】
【０００７】
上記目的を達成するために、本考案に係る支柱用基礎管埋設装置は、基礎用鋼管と、前記基礎用鋼管の内部に挿入可能に設けられた掘削スクリューと、前記掘削スクリューの後端側に接続された接続ロッドと、前記掘削スクリューを回転させて地面を掘削可能に、前記接続ロッドの後端側に取り付けられたオーガと、前記掘削スクリューを前記基礎用鋼管の内部に挿入し、前記掘削スクリューの先端を前記基礎用鋼管の先端から突出させた状態で、前記基礎用鋼管を前記掘削スクリューとともに回転させるよう、前記基礎用鋼管をその後端側で前記接続ロッドに着脱可能に固定する固定部材とを、有することを特徴とする。
【０００８】
本考案に係る支柱用基礎管埋設装置は、以下のようにして、照明灯などの支柱を立てるための基礎管を埋設することができる。すなわち、まず、後端側に接続ロッドが接続された掘削スクリューを、基礎用鋼管の内部に挿入し、掘削スクリューの先端を基礎用鋼管の先端から突出させた状態で、基礎用鋼管を固定部材で接続ロッドに固定する。次に、接続ロッドの後端側に取り付けられたオーガにより、接続ロッドと掘削スクリューとを回転させ、掘削スクリューにより地面を掘削する。このとき、基礎用鋼管が掘削スクリューとともに回転するよう固定部材により固定されているため、基礎用鋼管を回転させながら、掘削スクリューで掘削された掘削孔に埋め込むことができる。
【０００９】
基礎用鋼管を所望の深さまで埋め込んだならば、オーガによる回転を止め、固定部材を外して基礎用鋼管と接続ロッドとの固定を解除する。固定解除後、オーガを逆回転させながら掘削スクリューを引き上げて基礎用鋼管から抜き取る。こうして、照明灯などの支柱用の基礎管を埋設することができる。
【００１０】
本考案に係る支柱用基礎管埋設装置は、埋め込む地盤の状態に応じて掘削スクリューや基礎用鋼管を取り換えても、固定部材により基礎用鋼管を接続ロッドの適切な位置に固定するだけで、容易に掘削や埋め込み作業を行うことができる。このため、基礎用鋼管の固定位置からオーガまでの長さを調整する必要がなく、長さ調整をしなければならない場合と比べて、作業効率を高めることができ、設備費を低減することができる。
【００１１】
本考案に係る支柱用基礎管埋設装置は、容易に掘削作業を進めるために、掘削スクリューの先端にオーガヘッドが取り付けられていることが好ましい。また、基礎用鋼管の先端面に超硬合金製のビットが取り付けられていることが好ましい。
【００１２】
本考案に係る支柱用基礎管埋設装置で、前記接続ロッドは側面に、長さ方向に沿って互いに間隔を開けて設けられた複数の固定用穴を有し、前記固定部材は前記基礎用鋼管の後端部に着脱可能に固定されており、各固定用穴に挿入可能に設けられた挿入具を有し、前記挿入具をいずれかの固定用穴に挿入することにより前記基礎用鋼管を前記接続ロッドに固定可能であることが好ましい。この場合、適切な固定用穴を選択して挿入具を挿入することにより、掘削スクリューの先端が基礎用鋼管の先端から突出した、掘削するのに最適な位置で、基礎用鋼管を接続ロッドに固定することができる。
【００１３】
本考案に係る支柱用基礎管埋設装置は、前記掘削スクリューと前記接続ロッドとを連結するよう、前記掘削スクリューと前記接続ロッドとの間に設けられた１または複数の長さ調整ロッドを有していてもよい。この場合、掘削スクリューに比べて基礎用鋼管が非常に長くなるときなどに、基礎用鋼管の長さに応じて、長さ調整ロッドで掘削スクリューからオーガまでの長さを大まかに調整することができる。
【考案の効果】
【００１４】
本考案によれば、作業効率を高めることができ、設備費を低減することができる支柱用基礎管埋設装置を提供することを目的とする。
【図面の簡単な説明】
【００１５】
【図１】本考案の実施の形態の支柱用基礎管埋設装置を示す、各部材を分解した状態の側面図である。
【図２】図１に示す支柱用基礎管埋設装置の、長さ調整部材が（ａ）３本、（ｂ）２本、（ｃ）１本のときの各部材を接続した状態を示す、基礎用鋼管および固定部材を透視した側面図である。
【図３】図１に示す支柱用基礎管埋設装置の使用状態を示す（ａ）埋設位置に吊り下げとき、（ｂ）基礎用鋼管を埋め込んだ直後の側面図である。
【考案を実施するための形態】
【００１６】
以下、図面に基づき本考案の実施の形態について説明する。
図１乃至図３は、本考案の実施の形態の支柱用基礎管埋設装置を示している。
図１および図２に示すように、支柱用基礎管埋設装置１０は、基礎用鋼管１１と掘削スクリュー１２と長さ調整ロッド１３と接続ロッド１４とオーガ１５と固定部材１６とを有している。
【００１７】
図１および図２に示すように、基礎用鋼管１１は、照明灯の支柱を立てるための基礎管として、地面に埋め込んで使用されるものであり、市販の円筒形の鋼管から成っている。基礎用鋼管１１は、上端の開口に沿って設けられたフランジ２１と、そのフランジ２１を補強するために、周方向に沿って中心角が９０度間隔で外側面に設けられた４つの補強リブ２２とを有している。また、基礎用鋼管１１は、先端面に超硬合金製のビットが複数取り付けられている。
【００１８】
掘削スクリュー１２は、市販のオーガスクリューから成り、基礎用鋼管１１の内部に挿入可能な径を有している。掘削スクリュー１２は、先端にオーガヘッド２３が取り付けられている。長さ調整ロッド１３は、円柱形状を成し、基礎用鋼管１１の内部に挿入可能な径を有している。長さ調整ロッド１３は、掘削スクリュー１２の後端に１または複数接続されている。接続ロッド１４は、断面が正方形の角棒状を成し、長さ調整ロッド１３よりも小さい断面形状を有している。接続ロッド１４は、長さ調整ロッド１３の後端に接続されている。また、接続ロッド１４は、側面に、長さ方向に沿って所定の間隔をあけて設けられた複数の固定用穴２４を有している。
【００１９】
なお、支柱用基礎管埋設装置１０は、基礎用鋼管１１の長さに応じて、長さ調整ロッド１３の本数を調整すればよく、具体的な例では、図２（ａ）のとき、長さ調整ロッド１３の数は３本、図２（ｂ）のとき２本、図２（ｃ）のとき１本である。また、基礎用鋼管１１の長さによっては、長さ調整ロッド１３を使用しなくてもよく、その場合、接続ロッド１４を直接、掘削スクリュー１２の後端に接続すればよい。
【００２０】
図２に示すように、オーガ１５は、市販の電動オーガから成り、接続ロッド１４の後端に取り付けられている。オーガ１５は、接続ロッド１４、長さ調整ロッド１３および掘削スクリュー１２を、それぞれの中心軸回りに回転させて、掘削スクリュー１２により地面を掘削可能になっている。
【００２１】
図１および図２に示すように、固定部材１６は、鋼管固定部材２５とロッド固定部材２６とを有している。鋼管固定部材２５は、短い円筒状の短管部３１と、短管部３１の下端の開口に沿って設けられたフランジ３２と、そのフランジ３２を補強するために、周方向に沿って中心角が９０度間隔で外側面に設けられた４つの補強リブ３３とを有している。短管部３１は、挿入された接続ロッド１４とともに回転可能に、中心の孔の一部が、接続ロッド１４の断面形状に合わせた正方形状に形成されている。鋼管固定部材２５は、フランジ３２の表面を基礎用鋼管１１のフランジ２１の表面と合わせた状態で、ボルトおよびナットによりフランジ３２とフランジ２１とを接続して固定するようになっている。これにより、鋼管固定部材２５は、基礎用鋼管１１の後端部に着脱可能に固定されるようになっている。
【００２２】
ロッド固定部材２６は、短管部３１の上部を覆って短管部３１に固定可能に設けられた碗状部３４と、碗状部３４の上方に設けられた円筒状の胴体部３５と、胴体部３５の側壁を貫通して設けられた挿入具３６とを有している。胴体部３５は、挿入された接続ロッド１４とともに回転可能に、中心の孔が、接続ロッド１４の断面形状に合わせた正方形状に形成されている。挿入具３６は、胴体部３５に対して進退可能に螺合して取り付けられており、先端部が接続ロッド１４の各固定用穴２４に挿入可能になっている。ロッド固定部材２６は、挿入具３６を接続ロッド１４のいずれかの固定用穴２４に挿入することにより、接続ロッド１４に着脱可能に固定されるようになっている。
【００２３】
図２に示すように、固定部材１６は、短管部３１に接続ロッド１４を挿入し、掘削スクリュー１２、長さ調整ロッド１３および接続ロッド１４を挿入した基礎用鋼管１１の後端部に鋼管固定部材２５を固定し、さらに、胴体部３５に接続ロッド１４を挿入し、短管部３１の上部を碗状部３４で覆うよう鋼管固定部材２５の上部にロッド固定部材２６を配置して鋼管固定部材２５に固定し、挿入具３６を接続ロッド１４の固定用穴２４に挿入して接続ロッド１４に固定されるようになっている。こうして、固定部材１６は、基礎用鋼管１１をその後端側で接続ロッド１４に着脱可能に固定するようになっている。また、これにより、固定部材１６は、基礎用鋼管１１を、掘削スクリュー１２、長さ調整ロッド１３および接続ロッド１４とともに回転させるようになっている。
【００２４】
支柱用基礎管埋設装置１０は、以下のようにして、照明灯の支柱を立てるための基礎管を埋設することができる。すなわち、まず、図２に示すように、後端側に長さ調整ロッド１３および接続ロッド１４が接続された掘削スクリュー１２を、基礎用鋼管１１の内部に挿入し、掘削スクリュー１２の先端を基礎用鋼管１１の先端から突出させた状態で、基礎用鋼管１１を固定部材１６で接続ロッド１４に固定する。次に、図３（ａ）に示すように、建柱車１のクレーンで、接続ロッド１４の後端側に取り付けられたオーガ１５ごと吊り下げ、掘削スクリュー１２の先端を埋設位置に位置付ける。
【００２５】
埋設位置に位置付けたならば、オーガ１５により、接続ロッド１４、長さ調整ロッド１３および掘削スクリュー１２を回転させ、掘削スクリュー１２により地面を掘削する。このとき、基礎用鋼管１１が掘削スクリュー１２とともに回転するよう固定部材１６により固定されているため、基礎用鋼管１１を回転させながら、掘削スクリュー１２で掘削された掘削孔に埋め込むことができる。
【００２６】
図３（ｂ）に示すように、基礎用鋼管１１を、上端が地面の高さになる深さまで埋め込んだならば、オーガ１５による回転を止め、固定部材１６を外して基礎用鋼管１１と接続ロッド１４との固定を解除する。固定解除後、オーガ１５を逆回転させながら接続ロッド１４、長さ調整ロッド１３および掘削スクリュー１２を引き上げて、基礎用鋼管１１から抜き取る。こうして、照明灯支柱用の基礎管を埋設することができる。
【００２７】
支柱用基礎管埋設装置１０は、埋め込む地盤の状態に応じて掘削スクリュー１２や基礎用鋼管１１を取り換えても、適切な固定用穴２４を選択して挿入具３６を挿入するだけで、掘削するのに最適な位置で基礎用鋼管１１を接続ロッド１４に固定することができ、容易に掘削や埋め込み作業を行うことができる。このため、基礎用鋼管１１の固定位置からオーガ１５までの長さを調整する必要がなく、長さ調整をしなければならない場合と比べて、作業効率を高めることができ、設備費を低減することができる。
【００２８】
支柱用基礎管埋設装置１０は、掘削スクリュー１２の先端のオーガヘッド２３および基礎用鋼管１１の先端面の超硬合金製ビットにより、容易に掘削作業を進めることができる。また、基礎用鋼管１１の長さに応じて、長さ調整ロッド１３で掘削スクリュー１２からオーガ１５までの長さを大まかに調整することができる。さらに細かい位置調整は、固定部材１６の挿入具３６により行うことができる。
【符号の説明】
【００２９】
１  建柱車
１０  支柱用基礎管埋設装置
１１  基礎用鋼管
２１  フランジ
２２  補強リブ
１２  掘削スクリュー
２３  オーガヘッド
１３  長さ調整ロッド
１４  接続ロッド
２４  固定用穴
１５  オーガ
１６  固定部材
２５  鋼管固定部材
３１  短管部
３２  フランジ
３３  補強リブ
２６  ロッド固定部材
３４  碗状部
３５  胴体部
３６  挿入具
【図１】
0003185621.tif 000003
【図２】
0003185621.tif 000004
【図３】
0003185621.tif 000005
【手続補正書】
【提出日】平成25年6月13日(2013.6.13)
【手続補正１】
【補正対象書類名】明細書
【補正対象項目名】００１７
【補正方法】変更
【補正の内容】
【００１７】
図１および図２に示すように、基礎用鋼管１１は、照明灯の支柱を立てるための基礎管として、地面に埋め込んで使用されるものであり、円筒形の鋼管から成っている。基礎用鋼管１１は、上端の開口に沿って設けられたフランジ２１と、そのフランジ２１を補強するために、周方向に沿って中心角が９０度間隔で外側面に設けられた４つの補強リブ２２とを有している。また、基礎用鋼管１１は、先端面に超硬合金製のビットが複数取り付けられている。
【手続補正２】
【補正対象書類名】明細書
【補正対象項目名】００１８
【補正方法】変更
【補正の内容】
【００１８】
掘削スクリュー１２は、オーガスクリューから成り、基礎用鋼管１１の内部に挿入可能な径を有している。掘削スクリュー１２は、先端にオーガヘッド２３が取り付けられている。長さ調整ロッド１３は、円柱形状を成し、基礎用鋼管１１の内部に挿入可能な径を有している。長さ調整ロッド１３は、掘削スクリュー１２の後端に１または複数接続されている。接続ロッド１４は、断面が正方形の角棒状を成し、長さ調整ロッド１３よりも小さい断面形状を有している。接続ロッド１４は、長さ調整ロッド１３の後端に接続されている。また、接続ロッド１４は、側面に、長さ方向に沿って所定の間隔をあけて設けられた複数の固定用穴２４を有している。
【手続補正３】
【補正対象書類名】明細書
【補正対象項目名】００２０
【補正方法】変更
【補正の内容】
【００２０】
図２に示すように、オーガ１５は、電動オーガから成り、接続ロッド１４の後端に取り付けられている。オーガ１５は、接続ロッド１４、長さ調整ロッド１３および掘削スクリュー１２を、それぞれの中心軸回りに回転させて、掘削スクリュー１２により地面を掘削可能になっている。